(57)【要約】【課題】団体構成員に団体の標章等を表示したネームプレートを着用させる団体を対象に、団体構成員の安全管理のための新規なツールとして、ネームプレートの機能と警報機の機能を合体させたネームプレートの提供を目的とする。【解決手段】ネームプレート部と電池式警報器とが一体に形成されたネームプレートにおいて、ネームプレート部表面に標章等を表示する。【選択図】図２
2004226937.tif 000002
【特許請求の範囲】
【請求項１】
ネームプレート部と電池式警報器とが一体に形成されたネームプレートにおいて、ネームプレート部表面に標章等を表示したことを特徴とするネームプレート。
【請求項２】
ネームプレート部表面に標章等を表示しないで、標章等を表示したシールを貼り付けた請求項１記載のネームプレート。
【請求項３】
電池式警報器の警報音拡散部と電池交換用蓋部が同一面に設けられた請求項１記載のネームプレート。
【発明の詳細な説明】
【０００１】
【発明の属する技術分野】
本発明は、ネームプレートに係り、より詳細にはネームプレートの機能と電池式警報器の機能を合体させたネームプレートに関する。
【０００２】
【従来の技術】
ネームプレートの機能に他の電気的機器の機能を合体させたネームプレートは従来から存在し、電子共振タグの機能を合体させたネームプレートの先行技術がある（例えば、特許文献１参照）。
また、ネームプレートの機能にタイマー機能とアラーム機能を合体させたネームプレートに関する先行技術もある（例えば、特許文献２参照）。
【０００３】
【特許文献１】
実開平６−５６８８９号公報（請求項１）
【特許文献２】
実開平６−５５１７２号公報（請求項１）
【０００４】
【発明が解決しようとする課題】
団体構成員に団体の標章等を表示したネームプレートを着用させる団体を対象に、団体構成員の安全管理のための新規なツールとして、ネームプレートの機能と警報機の機能を合体させたネームプレートの提供を目的とする。
【０００５】
【課題を解決するための手段】
上記課題を解決するため、本発明のネームプレートは、ネームプレート部と電池式警報器とが一体に形成されたネームプレートにおいて、ネームプレート部表面に標章等を表示する。
【０００６】
また、上記ネームプレートにおいて、ネームプレート部表面に標章等を表示しないで、標章等を表示したシールを貼り付ける。
【０００７】
また、請求項１のネームプレートにおいて、電池式警報器の警報音拡散部と電池交換用蓋部を同一面に設ける。
【０００８】
【発明の実施の形態】
ネームプレート部は、形状や素材を限定するものではなく、例えば、素材では、プラスチック、ビニール、布地、合成紙など、多様に用いることができる。
本発明にいう標章等には、団体やグループが用いる社章、校章、会章、シンボルマーク、記号、ロゴマークなどのほか、団体名やグループ名を表記した文字などが含まれる。
ネームプレートを衣服等に着用するための手段として、クリップ、安全ピン、バネクリップ、クリップと安全ピンが合体されたもの、バネクリップと安全ピンが合体されたもの、などの取付具が用いられる。
電池式警報器には、電池を動力源として警報発生器が警報音を発生させる器具のうち、警報器の本体にスイッチ作動部材が挿入されたタイプのものを使用することが望ましい。このタイプの警報器は、前記スイッチ作動部材を警報器の本体から引き抜くことにより警報音が発生する。
ネームプレート部と電池式警報器とを一体に形成する形態としては、ネームプレートに電池式警報器を付加して一体にする形態と、電池式警報器の本体にネームプレート部を設ける方法により一体化する形態とがある。
ネームプレートに電池式警報器を付加して一体にする形態は、ネームプレートに電池式警報器を接着、溶着、融着などの方法により取り付けて一体にする方法のほか、挟着部を設け、挟着して一体にする方法、嵌合部を設け、嵌合して一体にする方法、ポケットなどの収納部を設け、収納して一体にする方法、バンドなどの結束具を取り付け、結束して一体にする方法、などにより一体にすることができる。また、磁石、面ファスナーなどを用いて着脱自在に一体化することもできる。
電池式警報器の本体にネームプレート部を設ける方法により一体化する形態は、電池式警報器の製造時に、電池式警報器の表面又は裏面にネームプレート部を成形加工する方法により実施できる。
ネームプレート部に団体などの標章等を表示する形態は、ネームプレート部全面に標章等を表示する形態とネームプレート部の一部に標章等を表示し、氏名等を記載するための記載欄又は余白部を設ける形態がある。
また、ネームプレート部表面に標章等を表示しないで、標章等を表示したシールを貼り付ける形態がある。また、電池式警報器の警報音拡散部と電池交換用蓋部を同一面に設ける形態がある。
【０００９】
【実施例】
以下一実施例について図面に基づいて説明する。
実施例では、ネームプレートに電池式警報器を付加して一体にする形態をとっている。
図１は、本発明のネームプレート表面の平面図である。
ネームプレート部１は、プラスチック板で円形に形成されている。表面上部に標章等２としての校章が表示され、下に生徒名などを記載する記載欄が設けられている。
図２は、本発明のネームプレート裏面側の平面図である。
ネームプレート部１の裏面上部に、ネームプレートＮを着用するための取付具３として安全ピンが接着剤を用いて取り付けられている。その下には、電池式警報器４が接着剤を用いて取り付けられている。
電池式警報器４は、電池Ａを動力源として警報発生器Ｂが警報音を発生させる機能を有し、警報器４の本体下部の穴に挿入されたスイッチ作動部材Ｃを引き抜くことにより通電し、警報音が発生するよう構成されている。
また、スイッチ作動部材Ｃは、引き抜くための引き手Ｄとしてのリングに繋がれている。
また、請求項３の方法を取り入れ、警報音を拡散させるための装置としての警報音拡散部５と電池の交換ができるよう着脱自在にされた電池交換用蓋部６が同一面に設けられている。このようにすることにより、電池交換用の蓋の開閉と警報音の拡散効果に支障が起きないよう考慮されている。
生徒が上着のポケットなどに着用し、必要時には引き手のリングに指を掛け下方に引くことにより警報音が発せられるよう構成されている。
上記の実施例は、校章を旅行社のシンボルマーク等に変えることにより、旅行社が団体旅行の参加者に着用させるネームプレートに転用できる。
また、上記実施例は、ネームプレート部表面に標章等を表示しないで、標章等を表示したシールを貼り付ける方法により実施することもできる。
【００１０】
【発明の効果】
本発明のネームプレートは、団体旅行の参加者にこのネームプレートを着用させることにより、引率者や責任者が、団体の一員であるか否かを判断するための目印として使用することが出来る。
団体からはぐれた参加者は、ネームプレートに取り付けられた警報器のスイッチ作動部材を引き抜いて警報音を発生させることにより引率者や団体の仲間が見つけやすくなり、参加者が迷子になるのを防ぐことが出来る。
警報音によって迷子を見つけた時、迷子になった者が団体の一員であるか否かの判定ができるので、違う団体の迷子を間違えて誘導するというような不都合をなくすことができる。
また、本発明のネームプレートは、警報器のスイッチ作動部材を簡単に引き抜くことが出来、瞬時にタイミングよく機能させられるので効果的である。
また、参加者が身の危険を感じたとき、警報音を発生させて危機を回避できるという効果もあるので、参加者の安全管理に責任を負う学校や旅行社が、参加者の安全を確保するための新規なツールとして利用できる。
また、ネームプレート部表面に標章等を表示しないで、標章等を表示したシールを貼り付ける方法により実施した場合にも、上記した各効果が得られると共に、使用者がシーズン毎にシンボルマークを変えるなどの事情がある場合に経済的に対処することができる。
また、本発明のネームプレートにおいて、電池式警報器の警報音拡散部と電池交換用蓋部を同一面に設けることにより、電池交換用の蓋の開閉と警報音拡散部による警報音の拡散効果に支障が起きないようにすることができる。
【図面の簡単な説明】
【図１】図１は、本発明のネームプレート表面の平面図である。
【図２】図２は、本発明のネームプレート裏面側の平面図である。
【符号の説明】
１    ネームプレート部
２    標章等
３    取付具
４    電池式警報器
５    警報音拡散部
６    電池交換用蓋部
Ａ    電池
Ｂ    警報発生器
Ｃ    スイッチ作動部材
Ｄ    引き手
Ｎ    ネームプレート
【図１】
2004226937.tif 000003
【図２】
2004226937.tif 000004